(57)【特許請求の範囲】
【請求項１】
(a1)無線通信システムにおけるプリフィクスの割当て及び通知又は委任を容易にするための、プロセッサが実施する方法であって、
(a2)クライアントがルータとして機能することを示す、前記クライアントからのルータ要請を受信することと、
(a3)サーバに、前記サーバと前記クライアントとの間のリンクにプリフィクスを割り当てないこと及び前記クライアントに前記プリフィクスを通知しないことを促すことと、ここにおいて、前記サーバは、前記クライアントからのルータ要請を受信するまで又はタイマが満了するまでプリフィクスを割り当てない、
を備える方法。
【請求項２】
前記クライアントに短いプリフィクスを委任することを更に備える、請求項１に記載の方法。
【請求項３】
前記短いプリフィクスは、前記プリフィクスよりも短い長さを有する、請求項２に記載の方法。
【請求項４】
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、請求項１に記載の方法。
【請求項５】
前記クライアントは、３ＧＰＰユーザ機器（ＵＥ）である、請求項４に記載の方法。
【請求項６】
前記ルータ要請は、ユーザ機器（ＵＥ）初期接続手順、又はＵＥ要求ＰＤＮ接続手順のうちの少なくとも１つの間に受信される、請求項５に記載の方法。
【請求項７】
前記無線通信システムは、ＩＥＥＥ８０２．１６／ＷｉＭａｘネットワーク又は３ＧＰＰ２ネットワークに関連付けられている、請求項１に記載の方法。
【請求項８】
前記ルータ要請は、３ＧＰＰ非アクセス層（ＮＡＳ）プロトコルに基づくルータ機能に関する新たなプロトコル設定オプション（ＰＣＯ）又は情報要素（ＩＥ）を含むことができる、請求項１に記載の方法。
【請求項９】
前記促すことは、インターネット・エンジニアリング・タスク・フォース（ＩＥＴＦ）ＩＰｖ６プロトコルに基づいている、請求項１に記載の方法。
【請求項１０】
無線通信システムにおけるプリフィクスの割当て及び通知又は委任を容易にするための装置であって、
クライアントがルータとして機能することを示す、前記クライアントからのルータ要請を受信するための手段と、
サーバに、前記サーバと前記クライアントとの間のリンクにプリフィクスを割り当てないこと及び前記プリフィクスを前記クライアントに通知しないことを促すための手段と、ここにおいて、前記サーバは、前記クライアントからのルータ要請を受信するまで又はタイマが満了するまでプリフィクスを割り当てない、
を備える装置。
【請求項１１】
前記クライアントに短いプリフィクスを委任するための手段を更に備える、請求項１０に記載の装置。
【請求項１２】
前記短いプリフィクスは、前記プリフィクスよりも短い長さを有する、請求項１１に記載の装置。
【請求項１３】
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、請求項１０に記載の装置。
【請求項１４】
前記クライアントは、３ＧＰＰユーザ機器（ＵＥ）である、請求項１０に記載の装置。
【請求項１５】
前記ルータ要請は、ユーザ機器（ＵＥ）初期接続手順、又はＵＥ要求ＰＤＮ接続手順のうちの少なくとも１つの間に受信される、請求項１４に記載の装置。
【請求項１６】
前記無線通信システムは、ＩＥＥＥ８０２．１６／ＷｉＭａｘネットワーク又は３ＧＰＰ２ネットワークに関連付けられている、請求項１０に記載の装置。
【請求項１７】
前記ルータ要請は、３ＧＰＰ非アクセス層（ＮＡＳ）プロトコルに基づくルータ機能に関する新たなプロトコル設定オプション（ＰＣＯ）又は情報要素（ＩＥ）を含むことができる、請求項１０に記載の装置。
【請求項１８】
前記促すための手段は、インターネット・エンジニアリング・タスク・フォース（ＩＥＴＦ）ＩＰｖ６プロトコルに基づいている、請求項１０に記載の装置。
【請求項１９】
無線通信システムにおけるプリフィクスの割当て及び通知又は委任を容易にするための装置であって、
クライアントがルータとして機能することを示す、前記クライアントからのルータ要請を受信するためのアンテナと、
サーバに、前記サーバと前記クライアントとの間のリンクにプリフィクスを割り当てないこと及び前記プリフィクスを前記クライアントに通知しないことを促すためのプロセッサと、ここにおいて、前記サーバは、前記クライアントからのルータ要請を受信するまで又はタイマが満了するまでプリフィクスを割り当てない、
を備える装置。
【請求項２０】
前記プロセッサは更に、前記クライアントに短いプリフィクスを委任するために構成される、請求項１９に記載の装置。
【請求項２１】
前記短いプリフィクスは、前記プリフィクスよりも短い長さを有する、請求項２０に記載の装置。
【請求項２２】
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、請求項１９に記載の装置。
【請求項２３】
前記クライアントは、３ＧＰＰユーザ機器（ＵＥ）である、請求項２２に記載の装置。
【請求項２４】
前記ルータ要請は、ユーザ機器（ＵＥ）初期接続手順、又はＵＥ要求ＰＤＮ接続手順のうちの少なくとも１つの間に受信される、請求項２３に記載の装置。
【請求項２５】
前記無線通信システムは、ＩＥＥＥ８０２．１６／ＷｉＭａｘネットワーク又は３ＧＰＰ２ネットワークに関連付けられている、請求項１９に記載の装置。
【請求項２６】
前記ルータ要請は、３ＧＰＰ非アクセス層（ＮＡＳ）プロトコルに基づくルータ機能に関する新たなプロトコル設定オプション（ＰＣＯ）又は情報要素（ＩＥ）を含むことができる、請求項１９に記載の装置。
【請求項２７】
前記促すための手段は、インターネット・エンジニアリング・タスク・フォース（ＩＥＴＦ）ＩＰｖ６プロトコルに基づいている、請求項１９に記載の装置。
【請求項２８】
クライアントがルータとして機能することを示す、前記クライアントからのルータ要請を受信することをコンピュータに行わせるためのコードと、
サーバに、前記サーバと前記クライアントとの間のリンクにプリフィクスを割り当てないこと及び前記プリフィクスを前記クライアントに通知しないことを促すことを前記コンピュータに行わせるためのコードと、ここにおいて、前記サーバは、前記クライアントからのルータ要請を受信するまで又はタイマが満了するまでプリフィクスを割り当てない、
を備えるプログラムを記録したコンピュータ読取可能記録媒体。
【発明の詳細な説明】
【技術分野】
【０００１】
［３５Ｕ．Ｓ．Ｃ．第１１９条の下の優先権主張］
本願は、本願の譲受人に譲渡され、参照によって本願に明確に組み込まれた、２０１０年３月１８日出願の“Method and Apparatus for Facilitating Prefix Allocation and Advertisement or Delegation”と題された米国特許仮出願第６１／３１５３５６号に対する優先権を主張する。
【０００２】
［分野］
本開示は一般に、無線通信システムのための装置及び方法に関する。本開示は特に、プリフィクスの割当て及び通知又は委任を容易にすることに関する。
【背景技術】
【０００３】
［背景］
無線通信システムは、例えば、テレフォニ、ビデオ、データ、メッセージング、及びブロードキャストのような様々なテレコミュニケーション・サービスを提供するために幅広く展開している。一般的な無線通信システムは、利用可能なシステム・リソース（例えば、帯域幅、送信電力）を共有することによって複数のユーザとの通信をサポートすることができる多元接続技術を用いることができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（time division synchronous code division multiple access）（ＴＤ−ＳＣＤＭＡ）システムを含む。
【０００４】
これらの多元接続技術は、地方レベル、国レベル、地域レベル、及び全世界レベルで様々な無線デバイスが通信することを可能にする共通プロトコルを提供するための様々なテレコミュニケーション規格において採用されてきた。最新のテレコミュニケーション規格の例として、ロング・ターム・エボリューション（ＬＴＥ）がある。ＬＴＥは、第３世代パートナーシップ・プロジェクト（３ＧＰＰ;Third Generation Partnership Project）によって公表されたユニバーサル・モバイル・テレコミュニケーション・システム（ＵＭＴＳ）モバイル規格に対する一連の強化である。これは、スペクトル効率の改善によってモバイル・ブロードバンド・インターネット・サービスをより良くサポートし、コストを削減し、サービスを向上し、新たなスペクトルの利用を可能にし、また、ダウンリンク（ＤＬ）においてＯＦＤＭＡを、アップリンク（ＵＬ）においてＳＣ−ＦＤＭＡを用い、複数入力複数出力（ＭＩＭＯ）アンテナ技術を用いて他のオープン規格とより良く統合するように設計されている。しかし、モバイル・ブロードバンド・アクセスに対する需要は増加し続けているので、ＬＴＥ技術における更なる改善へのニーズがある。望ましくは、これらの改善は、他の多元接続技術及びそれらの技術を用いるテレコミュニケーション規格に適用可能であるべきである。
【発明の概要】
【０００５】
例えば、ホスト又はルータとして動作しているノードへのプリフィクス（prefix)の割当て及び通知又は委任を容易にするための専用次世代パケット・システム（ＥＰＳ；evolved packet system）ベアラ(bearer)・コンテクストを用いて、プリフィクスの割当て(allocation)及び通知(advertisement)又は委任(delegation)を容易にするための装置及び方法が開示される。１つの態様によると、無線通信システムにおけるプリフィクスの割当て及び通知又は委任を容易にするための方法は、クライアントがルータ(router)として機能することを示す、クライアントからの信号を受信することと、サーバに、サーバとクライアントとの間のリンクにプリフィクスを割り当てないこと及び上記プリフィクスをクライアントに通知しないことを促すこととを含む。
【０００６】
別の態様によると、無線通信システムにおけるプリフィクスの割当て及び通知又は委任を容易にするための方法は、第１のプリフィクスをユーザ機器（ＵＥ）に割り当てることと、ＵＥがルータであることを示すインジケーション(indication)を受信することと、ＵＥのための第２のプリフィクスを予約することとを含み、第２のプリフィクスは、第１のプリフィクスよりも短い。
【０００７】
別の態様によると、無線通信システムにおけるプリフィクスの割当て及び通知又は委任を容易にするための方法は、第１のプリフィクスをユーザ機器（ＵＥ）に割り当てることと、ＵＥがルータであることを示すインジケーションを受信することと、ＵＥのための第２のプリフィクスを計算することとを含み、第２のプリフィクスは、第１のプリフィクスの一部を含む。
【０００８】
別の態様によると、無線通信システムにおけるプリフィクスの割当て及び通知又は委任を容易にするための装置は、クライアントがルータとして機能することを示す、クライアントからの信号を受信するための手段と、サーバに、サーバとクライアントとの間のリンクにプリフィクスを割り当てないこと及び上記プリフィクスをクライアントに通知しないことを促すための手段とを含む。
【０００９】
別の態様によると、無線通信システムにおけるプリフィクスの割当て及び通知又は委任を容易にするための装置は、第１のプリフィクスをユーザ機器（ＵＥ）に割り当てるための手段と、ＵＥがルータであることを示すインジケーションを受信するための手段と、ＵＥのための第２のプリフィクスを予約するための手段とを含み、第２のプリフィクスは、第１のプリフィクスよりも短い。
【００１０】
別の態様によると、無線通信システムにおけるプリフィクスの割当て及び通知又は委任を容易にするための装置は、第１のプリフィクスをユーザ機器（ＵＥ）に割り当てるための手段と、ＵＥがルータであることを示すインジケーションを受信するための手段と、ＵＥのための第２のプリフィクスを計算するための手段とを含み、第２のプリフィクスは、第１のプリフィクスの一部を含む。
【００１１】
別の態様によると、無線通信システムにおけるプリフィクスの割当て及び通知又は委任を容易にするための装置は、クライアントがルータとして機能することを示す、クライアントからの信号を受信するためのアンテナと、サーバに、サーバとクライアントとの間のリンクにプリフィクスを割り当てないこと及び上記プリフィクスをクライアントに通知しないことを促すためのプロセッサとを含む。
【００１２】
別の態様によると、無線通信システムにおけるプリフィクスの割当て及び通知又は委任を容易にするための装置は、第１のプリフィクスをユーザ機器（ＵＥ）に割り当て、ＵＥがルータであることを示すインジケーションを受信し、かつ、第１のプリフィクスよりも短い、ＵＥのための第２のプリフィクスを予約すること又は第１のプリフィクスの一部を含む、ＵＥのための第２のプリフィクスを計算することのうちの１つを実行するためのゲートウェイを含む。
【００１３】
別の態様によると、コンピュータ・プログラム製品は、コンピュータに、クライアントがルータとして機能することを示す、クライアントからの信号を受信させるためのコードと、コンピュータに、サーバに、サーバとクライアントとの間のリンクにプリフィクスを割り当てないこと及び上記プリフィクスをクライアントに通知しないことを促させるためのコードとを含むコンピュータ読取可能媒体を含む。
【００１４】
別の態様によると、コンピュータ・プログラム製品は、コンピュータに、第１のプリフィクスをユーザ機器（ＵＥ）に割り当てさせ、ＵＥがルータであることを示すインジケーションを受信させ、かつ、第１のプリフィクスよりも短い、ＵＥのための第２のプリフィクスを予約すること又は第１のプリフィクスの一部を含む、ＵＥのための第２のプリフィクスを計算することのうちの１つを実行させるためのコードを含むコンピュータ読取可能媒体を含む。
【００１５】
本開示の利益は、ネットワーク・アドレス・プリフィクスにおけるビットの数を最小化することを含むことができる。
【００１６】
様々な態様が例示によって示され説明される以下の詳細な説明から、当業者には、他の態様が容易に明らかとなることが理解される。添付図面及び詳細な説明は、限定的ではなく本質的に例示的であるとみなされるべきである。
【図面の簡単な説明】
【００１７】
【図１】図１は、処理システムを用いる装置のためのハードウェア実施形態の例を示す概念図を示す。
【図２】図２は、ネットワーク・アーキテクチャの例を示す概念図を示す。
【図３】図３は、アクセス・ネットワークの例を示す概念図を示す。
【図４】図４は、アクセス・ネットワークにおいて用いるためのフレーム構成の例を示す概念図を示す。
【図５】図５は、ユーザ及び制御プレーン(control plane)のためのラジオ・プロトコル・アーキテクチャの例を示す概念図を示す。
【図６】図６は、アクセス・ネットワークにおけるｅノードＢ及びＵＥの例を示す概念図を示す。
【図７】図７は、無線通信の方法のフローチャートの第１の例を示す。
【図８】図８は、無線通信の方法のフローチャートの第２の例を示す。
【図９】図９は、無線通信の方法のフローチャートの第３の例を示す。
【図１０】図１０は、本開示に従う装置の例の機能を示す概念ブロック図を示す。
【図１１】図１１は、１つの態様に従うプリフィクス割当てシステムのブロック図の例を示す。
【図１２】図１２は、１つの態様に従うプリフィクスの割当て及び通知又は委任を容易にするように構成された無線通信デバイスのブロック図の例を示す。
【図１３】図１３は、１つの態様に従うプリフィクスのブロック図の例を示す。
【図１４】図１４は、１つの態様に従うフレームされたプリフィクスのブロック図の例を示す。
【図１５】図１５は、プリフィクスの割当て及び通知又は委任を容易にするために適切な第１のデバイスの例を示す。
【図１６】図１６は、プリフィクスの割当て及び通知又は委任を容易にするために適切な第２のデバイスの例を示す。
【図１７】図１７は、プリフィクスの割当て及び通知又は委任を容易にするために適切な第３のデバイスの例を示す。
【図１８】図１８は、プリフィクスの割当て及び通知又は委任を容易にするための処理を実行するためのメモリ１８２０と通信中であるプロセッサ１８１０を備えるデバイス１８００の例を示す。
【発明を実施するための形態】
【００１８】
［詳細な説明］
添付図面と関連して以下に記載される詳細な説明は、本開示の様々な態様の説明として意図されており、本開示が実施されうる態様のみを表すことは意図されていない。本開示において説明された各態様は、単に本開示の例又は実例として提供されており、他の態様に対して必ずしも好適又は有利であると解釈されるべきではない。詳細な説明は、本開示の完全な理解を提供する目的のために具体的な詳細を含む。しかし、当業者には、本開示がそれらの具体的な詳細なしでも実施されうることが明らかとなるであろう。いくつかの例において、本開示の概念を不明瞭にすることを回避するために、周知の構成及びデバイスがブロック図の形式で示される。頭字語及び他の記述用語は、単に利便性及び明確化のために用いられており、本開示の範囲を限定することは意図されていない。
【００１９】
説明の簡略化目的のために、方法は一連の動作として示され説明されるが、その方法は、動作の順序によって制限されず、１つ又は複数の態様においていくつかの動作は、異なる順序で及び／又は本明細書において示され説明されたもの以外の動作と同時に発生しうることが理解されるべきである。例えば当業者は、方法が代わりに、例えば状態図におけるように、一連の相互関係のある状態又はイベントとして表されうることを理解するであろう。更に、１つ又は複数の態様に従って方法を実行するために、示された動作全てが必要であるわけではない。
【００２０】
本明細書で説明された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々な無線通信ネットワークのために用いられうる。「ネットワーク」及び「システム」という用語は、しばしば相互置換性を持って用いられる。ＣＤＭＡネットワークは、例えばユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）及び低チップ・レート（ＬＣＲ;Low Chip Rate）を含む。ｃｄｍａ２０００は、ＩＳ−２０００規格、ＩＳ−９５規格、及びＩＳ−８５６規格をカバーする。ＴＤＭＡネットワークは、例えばグローバル・システム・フォー・コミュニケーション（ＧＳＭ(登録商標)）のようなラジオ技術を実現することができる。ＯＦＤＭＡネットワークは、例えば次世代ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）のようなラジオ技術を実現することができる。ＵＴＲＡ、Ｅ−ＵＴＲＡ、及びＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを用いるＵＭＴＳのリリースである。ＵＴＲＡ、Ｅ−ＵＴＲＡ、ＧＳＭ、ＵＭＴＳ、及びＬＴＥは、「第３世代パートナーシップ・プロジェクト」（３ＧＰＰ;）と名付けられた組織からの文書において説明される。ｃｄｍａ２０００は、「第３世代パートナーシップ・プロジェクト２」（３ＧＰＰ２）と名付けられた組織からの文書において説明される。これらの様々なラジオ技術及び規格は、当該技術において周知である。
【００２１】
図１は、処理システムを用いる装置のためのハードウェア実現の例を示す概念図を示す。この例において、処理システム１１４は、バス１０２によって大まかに表されたバス・アーキテクチャを伴って実現されうる。バス１０２は、任意の数の相互結合バスと、処理システム１１４の特定のアプリケーション及び全体の設計制約に依存するブリッジとを含むことができる。バス１０２は、（プロセッサ１０４によって大まかに表された）１つ又は複数のプロセッサ及び（コンピュータ読取可能媒体１０６によって大まかに表された）コンピュータ読取可能媒体を含む様々な回路を互いにリンクする。バス１０２はまた、例えばタイミング・ソース、周辺機器、電圧調整器、及び電力管理回路等のような様々な他の回路もリンクすることができる。バス・インタフェース１０８は、バス１０２とトランシーバ１１０との間のインタフェースを提供する。トランシーバ１１０は、送信媒体を介して様々な他の装置と通信するための手段を提供する。装置の性質に依存して、ユーザ・インタフェース１１２（例えば、キーパッド、ディスプレイ、スピーカ、マイクロホン、ジョイスティック等）が提供されることもある。
【００２２】
プロセッサ１０４は、コンピュータ読取可能媒体１０６に格納されたソフトウェアの実行を含む一般的な処理及びバス１０２の管理を請け負う。プロセッサ１０４によって実行された場合、ソフトウェアは、処理システム１１４に、任意の特定の装置について以下に説明された様々な機能を実行させる。コンピュータ読取可能媒体１０６はまた、ソフトウェアを実行する際、プロセッサ１０４によって操作されるデータを格納するためにも用いられうる。
【００２３】
図２は、ネットワーク・アーキテクチャの例を示す概念図を示す。様々な装置を用いるテレコミュニケーション・システムの例は、以下、図２に示すようなＬＴＥネットワーク・アーキテクチャを参照して説明される。ＬＴＥネットワーク・アーキテクチャ２００は、コア・ネットワーク２０２及びアクセス・ネットワーク２０４を用いて示される。この例において、コア・ネットワーク２０２は、アクセス・ネットワーク２０４へのパケット交換サービスを提供するが、当業者は、本開示を通して説明された様々な概念が、回路交換サービスを提供するコア・ネットワークにも拡大されうることを容易に理解するであろう。
【００２４】
ネットワーク２００の１つの態様において、ポイント・ツー・ポイント（ＰｔＰ）クライアント及びＰｔＰサーバとして動作するノード（例えば、ＰＤＮゲートウェイ２０８、ＵＥ２１４）は、例えば、ＩＥＥＥ８０２．１６／ＷｉＭａｘネットワーク（一方は加入者局（ＳＳ）、モバイル局（ＭＳ）、モバイル・ノード（ＭＮ）、他方はアクセス・ルータ（ＡＲ））に基づいている。ポイント・ツー・ポイント（ＰｔＰ）クライアント及びＰｔＰサーバとして動作する更なるノード（例えば、ＰＤＮゲートウェイ２０８、ＵＥ２１４）は、３ＧＰＰ２ベースのネットワークからである。ノードは、一方において、それがＨＲＰＤ（ハイ・レート・パケット・データ）であるかｅ−ＨＲＰＤ（次世代ハイ・レート・パケット・データ）であるかによって、アクセス端末（ＡＴ）あるいはユーザ機器（ＵＥ）であることができる。ノードは、他方において、それがＨＲＰＤであるかｅ−ＨＲＰＤであるかによって、パケット・データ・サービス提供ノード（ＰＤＳＮ）、ゲートウェイＧＰＲＳサポート・ノーテッド（ＧＧＳＮ;gateway GPRS support node）、あるいはＰＤＮゲートウェイ（ＰＧＷ）であることができる。いずれのタイプのノードも、ユニークなＩＰｖ６プリフィクスがＰｔＰクライアントに割り当てられるという同一の制約を有することができる。１つの態様において、ＰｔＰクライアントはＵＥ２１４であり、ＰｔＰサーバはＰＤＮゲートウェイ２０８であることができる。
【００２５】
アクセス・ネットワーク２０４は単一の装置２１２を伴って示され、この装置は、ＬＴＥアプリケーションにおいて次世代ノードＢ（ｅノードＢ;evolved NordB）と一般的に称されるが、当業者によって、基地局、基地トランシーバ局、ラジオ基地局、ラジオ・トランシーバ、トランシーバ機能、基本的サービス・セット（ＢＳＳ）、拡大型サービス・セット（ＥＳＳ）、又は他の何らかの適切な用語として称されることもできる。ｅノードＢ２１２は、モバイル装置又はＵＥ２１４のためのコア・ネットワーク２０２へのアクセス・ポイントを提供する。モバイル装置の例は、セルラ電話、スマートホン、セッション開始プロトコル（ＳＩＰ）電話、ラップトップ、パーソナル・デジタル・アシスタント（ＰＤＡ）、衛星ラジオ、グローバル・ポジショニング・システム、マルチメディア・デバイス、ビデオ・デバイス、デジタル・オーディオ・プレーヤ（例えば、ＭＰ３プレーヤ）、カメラ、ゲーム・コンソール、又は同様の機能を有する他の任意のデバイスを含むことができる。モバイル装置２１４は、ＬＴＥアプリケーションにおいて一般にユーザ機器（ＵＥ）と称されるが、当業者によって、モバイル局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、又は他の何らかの適切な用語として称されることもできる。１つの態様において、モバイル装置２１４は、ポイント・ツー・ポイント・リンクにおけるルータ又はリーフ・ホストとして動作可能であることができる。そのような態様において、ホストは、割り当てられ通知されたプリフィクスを有することができ、ルータは、割り当てられ委任された１つ又は複数のプリフィクスを有することができる。更に、プリフィクスは、初期接続、要求されたパケット・データ・ノード（ＰＤＮ;packet data node）接続手順等の間にモバイル装置２１４に割り当てられうる。
【００２６】
コア・ネットワーク２０２は、パケット・データ・ノード（ＰＤＮ）ゲートウェイ２０８及びサービス提供ゲートウェイ２１０を含むいくつかの装置を用いて示される。ＰＤＮゲートウェイ２０８は、アクセス・ネットワーク２０４とパケット・ベース・ネットワーク２０６との接続を提供する。この例において、パケット・ベース・ネットワーク２０６はインターネットであるが、本開示を通して説明された概念は、インターネット・アプリケーションに限定されない。ＰＤＮゲートウェイ２０８の機能は、ＵＥ２１４にネットワーク接続を提供することである。データ・パケットは、ＵＥ２１４がアクセス・ネットワーク２０４を動き回るとローカル・モビリティ・アンカとしてサービス提供するサービス提供ゲートウェイ２１０を介してＰＤＮゲートウェイ２０８とＵＥ２１４との間で転送される。１つの態様において、ＰＤＮゲートウェイ２０８は、モバイル装置２１４にポイント・ツー・ポイント・リンクにおいて用いるためのアドレス・プリフィクスを割り当てるように動作可能であることができるプリフィクス割当てモジュール２０９を含むことができる。そのような１つの態様において、プリフィクス割当てモジュール２０９は、プリフィクスを割り当てるかを判定する前に要求を生成するために、ＵＥ２１４を待機することができる。別の態様において、プリフィクス割当てモジュール２０９は、ホストによって用いられうる及び／又はルータＵＥ２１４によって変更されうる共通プリフィクスを割り当てることができる。また別の態様において、プリフィクス割当てモジュール２０９は、ルータとして動作しているＵＥ２１４のために比較的短いプリフィクスを割り当て、ルータＵＥ２１４と関連付けられたＵＥ２１４のための追加のプリフィクスを計算することができる。
【００２７】
図３は、アクセス・ネットワークの例を示す概念図を示す。ＬＴＥネットワーク・アーキテクチャにおけるアクセス・ネットワークの例が以下図３を参照して説明される。この例において、アクセス・ネットワーク３００は、複数のセルラ領域（セル）３０２に分割される。ｅノードＢ３０４は、セル３０２に割り当てられ、セル３０２内の全てのＵＥ３０６ためにコア・ネットワーク２０２（図２を参照）へのアクセス・ポイントを提供するように構成される。アクセス・ネットワーク３００のこの例において集中型コントローラは存在しないが、他の構成において集中型コントローラが用いられうる。ｅノードＢ３０４は、ラジオ・ベアラ制御、流入制御、移動制御、スケジューリング、セキュリティ、及びコア・ネットワーク２０２（図２を参照）内のサービス提供ゲートウェイ２１０への接続を含む全てのラジオ関連機能を請け負う。
【００２８】
アクセス・ネットワーク３００によって用いられる変調及び多元接続スキームは、展開している特定のテレコミュニケーション規格に依存して変化することができる。ＬＴＥアプリケーションでは、周波数分割二重（ＦＤＤ）及び時分割二重（ＴＤＤ）の両方をサポートするために、ダウンリンク（ＤＬ）においてＯＦＤＭが用いられ、アップリンク（ＵＬ）においてＳＣ−ＦＤＭＡが用いられる。当業者は、以下に続く詳細な説明から、本明細書で説明された様々な概念がＬＴＥアプリケーションに都合よく適応することを容易に理解するであろう。しかし、これらの概念は、他の変調及び多元接続技術を用いる他のテレコミュニケーション規格に容易に拡大することができる。一例として、これらの概念は、エボリューション・データ・オプティマイズド（ＥＶ−ＤＯ）又はウルトラ・モバイル・ブロードバンド（ＵＭＢ）に拡大することができる。ＥＶ−ＤＯ及びＵＭＢは、ＣＤＭＡ２０００規格群の一部として第３世代パートナーシップ・プロジェクト２（３ＧＰＰ２）によって公表されたエア・インタフェース規格であり、モバイル局にブロードバンド・インターネット・アクセスを提供するためにＣＤＭＡを用いる。これらの概念はまた、広帯域ＣＤＭＡ（Ｗ−ＣＤＭＡ）及び例えばＴＤ−ＳＣＤＭＡのような他の様々なＣＤＭＡを用いるユニバーサル地上ラジオ・アクセス（ＵＴＲＡ）、ＴＤＭＡを用いるグローバル・システム・フォー・モバイル・コミュニケーション（ＧＳＭ）、次世代ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、及びＯＦＤＭＡを用いるＦｌａｓｈ−ＯＦＤＭに拡大されることもできる。ＵＴＲＡ、Ｅ−ＵＴＲＡ、ＵＭＴＳ、ＬＴＥ、及びＧＳＭは、３ＧＰＰ組織からの文書において説明される。ＣＤＭＡ２０００及びＵＭＢは、３ＧＰＰ２組織からの文書において説明される。実際の無線通信規格及び用いられる多元接続技術は、特定のアプリケーション及びシステムに課された全体の設計制約に依存するであろう。
【００２９】
ｅノードＢ３０４は、ＭＩＭＯ技術をサポートする複数のアンテナを有することができる。１つの例において、ＭＩＭＯ技術を用いることによって、ｅノードＢ３０４は、空間多重化、ビームフォーミング、及び送信ダイバーシチをサポートするために空間領域を用いることが可能になる。
【００３０】
空間多重化は、同一の周波数で同時にデータの異なるストリームを送信するために用いられうる。データ・ストリームは、データ・レートを増加させるために単一のＵＥ３０６へ送信される、又は全体のシステム容量を増加させるために複数のＵＥ３０６へ送信されることができる。これは、各データ・ストリームを空間プリコードし、各空間プリコードされたストリームを異なる送信アンテナを介してダウンリンクで送信することによって達成される。空間プリコードされたデータ・ストリームは、異なる空間シグネチャを伴ってＵＥ３０６に到達し、それによって、ＵＥ３０６の各々は、そのＵＥ３０６宛ての１つ又は複数のデータ・ストリームを復元することが可能となる。アップリンクにおいて、各ＵＥ３０６は、空間プリコードされたデータ・ストリームを送信し、それによって、ｅノードＢ３０４は、各空間プリコードされたデータ・ストリームの発信源を識別することが可能となる。
【００３１】
空間多重化は一般に、チャネル状態が良好である場合に用いられる。チャネル状態が十分に良好でない場合、１つ又は複数の方向に送信エネルギを集中させるためにビームフォーミングが用いられうる。これは、複数のアンテナを介した送信のためにデータを空間プリコードすることによって達成されうる。セルの境界における良好なカバレージを達成するために、単一のストリームのビームフォーミング送信が送信ダイバーシチと組み合わせて用いられうる。
【００３２】
続く詳細な説明において、アクセス・ネットワークの様々な態様は、ダウンリンクにおいてＯＦＤＭをサポートするＭＩＭＯシステムを参照して説明される。ＯＦＤＭは、ＯＦＤＭシンボル内の複数のサブキャリアにわたってデータを変調するスペクトル拡散技術である。サブキャリアは、正確な周波数で間隙を介している。この間隙は、受信機がサブキャリアからデータを復元することを可能にする「直交性」を提供する。時間領域において、ＯＦＤＭシンボル間の干渉を食い止めるために各ＯＦＤＭシンボルにガード・インターバル（例えば、循環プリフィクス）が添付されうる。アップリンクは、高いピーク対平均電力比（ＰＡＰＲ）を補うために離散フーリエ変換（ＤＦＴ）−拡散ＯＦＤＭ信号の形式でＳＣ−ＦＤＭＡを用いることができる。
【００３３】
様々なフレーム構成が、ＤＬ送信及びＵＬ送信をサポートするために用いられうる。図４は、アクセス・ネットワークにおいて用いるためのフレーム構成の例を示す概念図を示す。ＤＬフレーム構成の例が、図４を参照して説明される。しかし、当業者は、任意の特定のアプリケーションのためのフレーム構成が任意の数の要因に依存して異なりうることを容易に理解するであろう。この例において、（持続期間１０ｍｓの）フレームは、１０個の等しいサイズのサブフレームに分割される。各サブフレームは、２つの連続するタイム・スロットを含む。
【００３４】
２つのタイム・スロットを表すためにリソース・グリッドが用いられることができ、各２つのタイム・スロットは、リソース・ブロックを含む。リソース・グリッドは、複数のリソース要素に分割される。ＬＴＥにおいて、リソース・ブロックは、周波数領域において１２の連続するサブキャリアを含み、各ＯＦＤＭシンボルにおける通常の循環プリフィクスの場合、時間領域において７つの連続するＯＦＤＭシンボルを含むので、すなわち８４のリソース要素を含む。各リソース要素によって搬送されるビットの数は、変調スキームに依存する。従って、ＵＥが受信するリソース・ブロックの数が多く、変調スキームが高いほど、ＵＥのためのデータ・レートは高くなる。
【００３５】
ラジオ・プロトコル・アーキテクチャは、特定のアプリケーションに依存して様々な形式を取ることができる。図５は、ユーザ・プレーン及び制御プレーンのためのラジオ・プロトコル・アーキテクチャの例を示す概念図を示す。ＬＴＥシステムに関する例が、図５を参照して説明される。１つの例において、ＵＥ及びｅノードＢのためのラジオ・プロトコル・アーキテクチャは、層１、層２、及び層３の３つの層を用いて示される。層１は最下層であり、様々な物理層信号処理機能を実現する。層１は、本明細書において、物理層５０６と称される。層２（Ｌ２層）５０８は、物理層５０６の上にあり、物理層５０６を介するＵＥとｅノードＢとの間のリンクを請け負う。
【００３６】
１つの態様において、ユーザ・プレーン(user plane)において、Ｌ２層５０８は、媒体アクセス制御（ＭＡＣ）副層５１０、ラジオ・リンク制御（ＲＬＣ）副層５１２、及びパケット・データ集合プロトコル（ＰＤＣＰ）副層５１４を含み、ネットワーク側のｅノードＢにおいて終了する。図示されないが、ＵＥはネットワーク側のＰＤＮゲートウェイ２０８（図２を参照）において終了するネットワーク層（例えば、ＩＰ層）及び接続の他方の終端（例えば、遠端ＵＥ、サーバ等）において終了するアプリケーション層を含む、Ｌ２層５０８より上のいくつかの層を有することができる。
【００３７】
１つの態様において、ＰＤＮゲートウェイ２０８は、例えばＧＰＲＳ（ジェネラル・パケット・ラジオ・サービス;General Packet Radio Service）トンネリング・プロトコル・トンネル終点識別子（ＧＴＰ  ＴＥＩＤ）又はＧＲＥ（一般ルーチングのカプセル化）鍵のような、層２識別子に基づいて効率的にホストを識別することができる。そのような態様において、プリフィクス割当てモジュール２０９は、委任されたプリフィクスを層２識別子に基づいて形成することができ、その後ゲートウェイ２０８は、ＩＰｖ６アドレス自体ではなくＩＰｖ６アドレス内に組み込まれた層２識別子に基づいてトラヒックを転送することができる。
【００３８】
１つの態様において、ＰＤＣＰ副層５１４は、様々なラジオ・ベアラと論理チャネルとの間の多重化を提供する。ＰＤＣＰ副層５１４はまた、ラジオ送信オーバヘッドを低減するための上層データ・パケットに関するヘッダ圧縮、データ・パケットの暗号化によるセキュリティ、及びｅノードＢ間のＵＥのためのハンドオーバ・サポートを提供する。ＲＬＣ副層５１２は、上層データ・パケットの分割及び再構成、損失データ・パケットの再送信、及びハイブリッド自動反復要求（ＨＡＲＱ）に起因する順序どおりでない受信を補うためのデータ・パケットの並べ替えを提供する。ＭＡＣ副層５１０は、論理チャネルとトランスポート・チャネルとの間の多重化を提供する。ＭＡＣ副層５１０はまた、ＵＥの中での１つのセルにおける様々なラジオ・リソース（例えば、リソース・ブロック）の割当てを請け負うこともできる。ＭＡＣ副層５１０はまた、ＨＡＲＱ動作を請け負うこともできる。
【００３９】
別の態様において、制御プレーンにおいて、制御プレーンのためのヘッダ圧縮機能がない場合を除いて、ＵＥ及びｅノードＢのためのラジオ・プロトコル・アーキテクチャは、物理層５０６及びＬ２層５０８について実質的に同じである。制御プレーンはまた、層３にラジオ・リソース制御（ＲＲＣ）副層５１６も含む。ＲＲＣ副層５１６は、ラジオ・リソース（すなわち、ラジオ・ベアラ）の取得、及びｅノードＢとＵＥとの間のＲＲＣシグナリングを用いた下層の構成を請け負う。
【００４０】
図６は、アクセス・ネットワークにおけるｅノードＢ及びＵＥの例を示す概念図を示す。図６は、アクセス・ネットワークにおいてＵＥ６５０と通信中であるネットワーク要素６１０（例えば、ｅノードＢ）を示す。ダウンリンク（ＤＬ）において、コア・ネットワークからの上層パケットがコントローラ／プロセッサ６７５へ提供される。コントローラ／プロセッサ６７５は、図５と関連して上述されたＬ２層の機能を実現する。ＤＬにおいて、コントローラ／プロセッサ６７５は、ヘッダ圧縮、暗号化、パケット分割及び並べ替え、論理チャネルとトランスポート・チャネルとの間の多重化、及び様々な優先順位付けメトリックに基づくＵＥ６５０へのラジオ・リソース割当てを提供する。コントローラ／プロセッサ６７５はまた、ＨＡＲＱ動作、損失パケットの再送信、及びＵＥ６５０へのシグナリングも請け負う。
【００４１】
ＴＸプロセッサ６１６は、Ｌ１層（すなわち、物理層）のための様々な信号処理機能を実現する。信号処理機能は、ＵＥ６５０における順方向誤り訂正（ＦＥＣ）を容易にするためのインタリーブ及び符号化、及び様々な変調スキーム（例えば、二相位相変調（ＢＰＳＫ）、四相位相変調（ＱＰＳＫ）、Ｍ位相変調（Ｍ−ＰＳＫ）、Ｍ直交振幅変調（Ｍ−ＱＡＭ））に基づく信号配列へのマッピングを含むことができる。符号化及び変調されたシンボルはその後、並列ストリームに分割される。各ストリームはその後、ＯＦＤＭサブキャリアにマッピングされ、時間領域及び／又は周波数領域において参照信号（例えば、パイロット）と多重化され、時間領域ＯＦＤＭシンボル・ストリームを搬送する物理チャネルを生成するために逆高速フーリエ変換（ＩＦＦＴ）を用いて互いに結合される。ＯＦＤＭストリームは、複数の空間ストリームを生成するために空間プリコードされる。チャネル推定器６７４からのチャネル推定値は、符号化及び変調スキームを決定するため、及び空間処理のために用いられうる。チャネル推定値は、ＵＥ６５０によって送信されたチャネル状態フィードバック及び／又は参照信号から導出されうる。各空間ストリームはその後、個々の送信機６１８ＴＸを介して異なるアンテナ６２０へ提供される。各送信機６１８ＴＸは、送信のためにそれぞれの空間ストリームを用いてＲＦ搬送波を変調する。
【００４２】
ＵＥ６５０において、各受信機６５４ＲＸは、それぞれのアンテナ６５２を介して信号を受信する。各受信機６５４ＲＸは、ＲＦ搬送波において変調された情報を復元し、受信機（ＲＸ）プロセッサ６５６へ情報を提供する。
【００４３】
ＲＸプロセッサ６５６は、Ｌ１層の様々な信号処理機能を実現する。ＲＸプロセッサ６５６は、ＵＥ６５０が宛先となる任意の空間ストリームを復元するために情報に空間処理を実行する。複数の空間ストリームがＵＥ６５０に宛てられた場合、それらは、ＲＸプロセッサ６５６によって単一のＯＦＤＭシンボル・ストリームに結合されうる。ＲＸプロセッサ６５６はその後、高速フーリエ変換（ＦＦＴ）を用いてＯＦＤＭシンボル・ストリームを時間領域から周波数領域へ変換する。周波数領域信号は、ＯＦＤＭ信号の各サブキャリアについて別々のＯＦＤＭシンボル・ストリームを含む。各サブキャリアにおけるシンボル及び参照信号は、ネットワーク要素６１０（例えば、ｅノードＢ）によって送信された最も可能性の高い信号配列点を決定することによって復元及び復調される。これらの軟判定は、チャネル推定器６５８によって計算されたチャネル推定値に基づくことができる。軟判定はその後、物理チャネルにおいてネットワーク要素（例えば、ｅノードＢ）によってもともと送信された制御信号及びデータを復元するために、復号及びデインタリーブされる。
【００４４】
コントローラ／プロセッサ６５９は、図５に関連して上述されたＬ２層を実現する。アップリンク（ＵＬ）において、コントローラ／プロセッサ６５９は、トランスポート・チャネルと論理チャネルとの間の逆多重化、パケット再構成、暗号解読、ヘッダ展開、コア・ネットワークからの上層パケットを復元するための制御信号処理を提供する。上層パケットはその後、データ・シンク６６２へ提供され、Ｌ２層より上のプロトコル層全てを表す。様々な制御信号もまた、Ｌ３処理のためにデータ・シンク６６２へ提供されうる。コントローラ／プロセッサ６５９はまた、ＨＡＲＱ動作をサポートするためのアクノレッジメント（ＡＣＫ）及び／又はネガティブ・アクノレッジメント（ＮＡＣＫ）を用いた誤り検出も請け負う。
【００４５】
アップリンク（ＵＬ）において、データ・ソース６６７は、コントローラ／プロセッサ６５９へ上層パケットを提供するために用いられる。データ・ソース６６７は、Ｌ２層（Ｌ２）より上のプロトコル層全てを表す。ネットワーク要素６１０（例えば、ｅノードＢ）によるＤＬ送信に関連して説明された機能と同様、コントローラ／プロセッサ６５９は、ヘッダ圧縮、暗号化、パケット分割及び並べ替え、及びネットワーク要素６１０（例えば、ｅノードＢ）によるラジオ・リソース割当てに基づく論理チャネルとトランスポート・チャネルとの間の多重化を提供することによって、制御プレーン及びユーザ・プレーンのためのＬ２層を実現する。コントローラ／プロセッサ６５９はまた、ＨＡＲＱ動作、損失したパケットの再送信、及びネットワーク要素６１０（例えば、ｅノードＢ）へのシグナリングも請け負う。
【００４６】
ネットワーク要素（例えば、ｅノードＢ）によって送信されたフィードバック又は参照信号からチャネル推定器６５８によって導出されたチャネル推定値は、適切な符号化及び変調スキームを選択するため及び空間処理を容易にするために、ＴＸプロセッサ６６８によって用いられうる。ＴＸプロセッサ６６８によって生成された空間ストリームは、個々の送信機６５４ＴＸを介して異なるアンテナ６５２へ提供される。各送信機６５４ＴＸは、送信のためにそれぞれの空間ストリームを用いてＲＦ搬送波を変調する。
【００４７】
ＵＬ送信は、ＵＥ６５０における受信機機能に関連して上述されたものと同様の方式でネットワーク要素６１０（例えば、ｅノードＢ）において処理される。各受信機６１８ＲＸは、それぞれのアンテナ６２０を介して信号を受信する。各受信機６１８ＲＸは、ＲＦ搬送波において変調された情報を復元し、ＲＸプロセッサ６７０へ情報を提供する。ＲＸプロセッサ６７０は、Ｌ１層を実現する。
【００４８】
コントローラ／プロセッサ６５９は、図５に関連して上述されたＬ２層を実現する。ＵＬにおいて、コントローラ／プロセッサ６５９は、トランスポート・チャネルと論理チャネルとの間の逆多重化、パケット再構成、暗号解読、ヘッダ展開、ＵＥ６５０からの上層パケットを復元するための制御信号処理を提供する。コントローラ／プロセッサ６７５からの上層パケットは、コア・ネットワークへ提供されうる。コントローラ／プロセッサ６５９はまた、ＨＡＲＱ動作をサポートするためのアクノレッジメント（ＡＣＫ）及び／又はネガティブ・アクノレッジメント（ＮＡＣＫ）を用いた誤り検出も請け負う。
【００４９】
図１に関して説明された処理システム１００は、ネットワーク要素６１０を含む。１つの態様において、ネットワーク要素６１０は、ノードＢ、ｅノードＢ、ＰＤＮゲートウェイ等を含むことができる。特に、処理システム１００は、ＴＸプロセッサ６１６及びＲＸプロセッサ６７０を含む。１つの構成において、ＴＸ／ＲＸプロセッサは、ＵＥがルータとして機能するであろうことを示すＵＥからの信号を受信し、ＵＥとＰＤＮゲートウェイとの間のリンクにプリフィクスを割り当てないこと及び上記プリフィクスをＵＥに通知しないことをパケット・データ・ノード（ＰＤＮ）に促すように構成される。
【００５０】
図７、８、及び９は、上述された主題の様々な態様に従って様々な方法を示す。説明の簡略化目的のために、方法は一連の動作又は一連のステップとして示され説明されるが、特許請求された主題は動作の順序によって限定されず、いくつかの動作は、本明細書で示され説明されたもの以外の動作と同時に及び／又は異なる順序で発生しうることが理解されるべきである。例えば、当業者は、方法があるいは、例えば状態図におけるように一連の相互関係を有する状態又はイベントとして表されうることを理解するであろう。更に、特許請求された主題に従って方法を実現するために図示された動作全てが必要なわけではない。また、以下開示された方法及び本明細書を通して開示された方法は、そのような方法をコンピュータへトランスポート及び転送することを容易にするために製品に格納されることが可能である。製品という用語は、本明細書で用いられる場合、任意のコンピュータ読取可能なデバイス、キャリア、又は媒体からアクセスすることができるコンピュータ・プログラムを包括することが意図されている。
【００５１】
図７は、無線通信の方法のフローチャートの第１の例７００を示す。一般に、ポイント・ツー・ポイント・リンクを介した効率的な通信を容易にするために、ＰＤＮゲートウェイは、ＵＥがホストとして動作するかルータとして動作するかを判定するために探索することができる。ホストは、割り当てられ通知されたプリフィクスを有することができるが、ルータは、割り当てられたより短いプリフィクスを有し、ルータと関連付けられたＵＥにプリフィクスを委任することができる。一般に、１つの態様において、ＵＥは、ＰＤＮゲートウェイにプリフィクス委任（例えば、ＩＰｖ６プリフィクス委任）を要求することができる。これに応答して、／６４より短いプリフィクスがＤＨＣＰ−ＰＤ（動的ホスト構成プロトコル−プリフィクス委任）を介してＵＥへ委任されうる。そのようなプリフィクスは、その後ＵＥによって、ＤＨＣＰ−ＰＤを介して更なるモバイル・ルータのダウンストリームへ更に委任されうるより長いプリフィクス、通知インタフェースにおいてＩＰｖ６ルータ通知を送信することによってリーフ・リンク（／６４）において通知されうるより長いプリフィクス等に更に分割されうる。別の態様において、ＰＤＮゲートウェイは、／６４ＩＰｖ６プリフィクスをＵＥに割り当て、ＩＰｖ６ルータ通知を介してＷＷＡＮ（無線広域ネットワーク）セルラ・リンクにおいてそのＵＥを通知することができる。しかしＵＥはルータであり、ルータはルータ通知を無視するので、この／６４プリフィクスを必要とせず、委任されたプリフィクスのサブプリフィクスからグローバル・アドレスを形成することができる。上述した態様のいずれにおいても、ルータとして動作しているＵＥに複数のプリフィクスが割り当てられる。そのような割り当ては、ネットワーク・リソースに過度に負担をかけうる。
【００５２】
１つの態様において、クライアントがルータとして機能することを示す、クライアントからの信号を受信する（７０２）。一例において、クライアントはポイント・ツー・ポイント（ＰｔＰ）クライアントである。そのような態様において、３ＧＰＰ非アクセス層（ＮＡＳ）プロトコルに基づいて、信号は、ルータ機能のための情報要素（ＩＥ）又は新たなプロトコル設定オプション（ＰＣＯ;Protocol Configuration Option）を含むことができる。１つの態様において、信号は、ＵＥ初期接続手順、ＵＥ要求ＰＤＮ接続手順(UE requested PDN connectivity procedure)等の間にＰＤＮゲートウェイによって受信されうる。更に、サーバに、サーバとクライアントとの間のリンクにプリフィクスを割り当てないこと及び上記プリフィクスをクライアントに通知しないことを促す（７０４）。一例において、サーバはポイント・ツー・ポイント（ＰｔＰ）サーバである。１つの態様において、プリフィクスよりも短い長さを有する短いプリフィクスをクライアントに委任することもある。そのような態様において、インターネット・エンジニアリング・タスク・フォース（ＩＥＴＦ）ＩＰｖ６プロトコルに基づいて、ＰＤＮゲートウェイは、ＵＥからのルータ要請(router solicitation)を受信するまで又はタイマが満了するまでプリフィクスを割り当てないことができる。更に、「モバイル・ルータ」ＵＥは、ルータ要請を送信しないが、ＤＨＣＰプリフィクス委任要求(prefix delegation request)を送信することができる。１つの態様において、ＵＥは、自身がリンクを提示する場合、プリフィクス情報なしのルータ通知を送信することができる。また、ＵＥがルータとして動作しようとしていることを示すインジケーションが受信されると、ＰＤＮゲートウェイは、タイマを非アクティブ化し、ＵＥをルータとしてマークすることができる。
【００５３】
図８は、無線通信の方法のフローチャートの第２の例８００を示す。一般に、ポイント・ツー・ポイント・リンクを介した効率的な通信を容易にするために、ＰＤＮゲートウェイは、ＵＥがホストとして動作するかルータとして動作するかを判定するために探索することができる。１つの態様において、自動的かつステートレスなＩＰｖ６プリフィクス委任は、いくつかのＩＰｖ６のみ及び二重スタックのアクセス・ネットワークにおいて認識されうる。そのような態様において、ＩＰｖ４アドレスは、委任されたＩＰｖ６プリフィクスを計算するためにサービス・プロバイダ自身のＩＰｖ６アドレス・プリフィクスとともに用いられうる。一例において、ＩＰｖ６早期展開（６ＲＤ）は、既存のＩＰｖ４インフラストラクチャにおいてＩＰｖ６の早期展開を実現するための技術である。更に、６ＲＤの計算のために用いられるＩＰｖ４アドレスは、例えばホストに割り当てられたユニークな／６４プリフィクス、又は例えばＧＴＰトンネル終点識別子あるいはＧＲＥ鍵といった他の情報ソースからのユニークなビットと置き換えられうる。そのような態様において、設定されたサービス・プロバイダのＩＰｖ６プリフィクスから、及びホストとネットワーク・ゲートウェイとによって知られているユニークなデータ・ソースから、委任された／６４よりも短いプリフィクスを計算することが可能となりうる。更に、この解決策がＩＰｖ６使用可能なネットワークにおいて用いられうる場合、ＩＰインＩＰカプセル化は必要とされない。また、ステートレスな性質により、このアプローチは、ステートフルなＤＨＣＰｖ６サーバの展開又はＡＡＡ関与を要求することなくプリフィクス委任を可能にする。例えば３ＧＰＰのような展開においてこのメカニズムが用いられた場合、ＩＰｖ６ルーチングは静的なままであり、動的な更新を必要としない。図１３には、オプション＿６ｓｐｄフィールド１３０２、長さフィールド１３０４、ユニーク長フィールド１３０６、プリフィクス長フィールド１３０８、Ｐ／Ｉ／４／Ｔフィールド１３１０、予約済フィールド１３１２、及び／又はプリフィクス・フィールド１３１４を有するプリフィクス構成オプションの例が示される。
【００５４】
１つの態様において、ステートレスな解決策は相補的であることができ、いくつかの代替シナリオにおいて、ステートフルなＤＨＣＰｖ６プリフィクス委任（ＤＨＣＰｖ６  ＰＤ）に関する解決策がある。計算されたプリフィクスは、それらのプリフィクスの寿命が、用いられた情報源の寿命に（例えば、ホストのＷＡＮインタフェースの／６４ビットのプリフィクスあるいはＧＴＰ  ＴＥＩＤの場合ネットワーク接続の寿命に）制限されうることを除き、ＤＨＣＰｖ６  ＰＤを用いて委任されたプリフィクスが用いられる方法と同様に用いられうる。ステートレスな委任は、多数のホスト、ルータが、通常は非常に短くはない一定のサイズの単一のプリフィクスを委任する必要があるシナリオのための解決策として設計されうる。
【００５５】
あるポイント・ツー・ポイント・ネットワーク・アーキテクチャにおいて、ホストは、ユニークな／６４ビットのプリフィクスを用いて設定されうる。ホストはユニークな／６４ビットのプリフィクスを有するので、共通プリフィクスが設定されたサービス・プロバイダとの接続においてプリフィクスの最小ビットを用いることができる。本来、ホストは、６ＲＤと同様に委任されたプリフィクスを形成することができるが、ＩＰｖ４アドレスの代わりにユニークなＩＰｖ６プリフィクス・ビットを用いることができる。一例において、委任されたプリフィクスの寿命は、通常、ホストとネットワークとの間の層２接続の寿命に結び付けられている、ユニークな／６４ビットのプリフィクスの寿命に結び付けられうる。ホストが一定の／６４プリフィクスを有する場合、例えばホストが、同一のネットワークを用いて確立された後続の層２接続において同じ／６４プリフィクスを受信する場合、委任されたプリフィクスは（サービス・プロバイダの共通プリフィクスが変化しないかぎり）再接続にわたって有効であり続ける。そのような態様において、ホストは、自身のＷＡＮインタフェースにおいてユニークな／６４ビットのプリフィクスを受信し、ＤＨＣＰｖ６情報要求を介してサービス・プロバイダに共通プリフィクスを要求し、／６４プリフィクスの最小ビットと共通プリフィクスとを結合し、プリフィクスにそれが委任されたことを学ばせ、ルータとなって、ローカル・エリア・ネットワークにおいて委任されたプリフィクスから選択された（複数の）／６４サブネット・プリフィクスの通知を開始する、あるいはそれらを更に委任することができる。
【００５６】
１つの態様において、第１のプリフィクスをＵＥに割り当てる（８０２）。そのような態様において、ホストが接続した場合、ゲートウェイ（例えば、パケット・データ・ノード・ゲートウェイ２０８）は、ポイント・ツー・ポイント・リンクのために／６４プリフィクスを割り当てることができる。１つの態様において、ＵＥがルータであることを示すインジケーションを受信する（８０４）。更に、第１のプリフィクスよりも短い、ＵＥのための第２のプリフィクスを予約する（８０６）。１つのそのような態様において、／６４の割当て後、ゲートウェイ（例えば、パケット・データ・ノード・ゲートウェイ２０８）は、新たに接続されたホストのために委任されたプリフィクスを計算し、それに応じてルーチング・テーブルを更新する。更に、ゲートウェイは、委任がステートレスであるので、委任されたプリフィクスをどのホストが用いようとしているかを知ることができない。委任されたプリフィクスは、割り当てられた／６４プリフィクス及びサービス・プロバイダ共通プリフィクスに基づいて計算されうるので、会計及び許可機能は、異なるデータ・フローがどの加入者に所属するかを識別することができる。
【００５７】
別の態様において、ＩＰｖ４アドレスの使用は、ホストがデュアルスタック・ネットワーク接続を提供された場合にカプセル化が必要ではないことを除いて、６ＲＤと同一であることができる。ＩＰｖ４アドレスは、グローバルに又はローカルにユニークであることができる。用いられるリンクのタイプは、共有又はポイント・ツー・ポイントであることができる。
【００５８】
１つの態様において、モバイル・ノードは、複数のアップリンクＷＡＮ接続に同時に接続されることができ、その場合、複数のネットワーク・インタフェースからの委任されたプリフィクスをステートレスに受信することができる。そのような場合、ホストは、委任されたプリフィクスのうちのいずれを又は全てをローカル・エリア・ネットワークにおいて通知するかを選択することができる。新たなアップストリーム接続が開かれ、ステートレスに委任されたプリフィクスが計算された場合、ホストは、自身がローカルに送信しているルータ通知に新たなプリフィクスを追加することができる。アップストリーム接続が回復できず損失した場合（例えば、再確立が失敗した場合）、ホストは、もはやルート指定されることができないそれらのプリフィクスについて、好適及び有効な寿命がゼロであることを示すルータ通知をローカル・エリア・ネットワークに送信することができる。
【００５９】
別の態様において、／６４プリフィクス、すなわち単一のＩＰｖ６アドレスは、プロキシ・モバイルＩＰｖ６（ＰＭＩＰ６）ローカル・モビリティ・アンカ（ＬＭＡ）又は（ＤＳ）ＭＩＰ６ホーム・エージェントによって割り当てられていることもできる。そのような態様において、ネットワーク又はホストベースのモビリティは、例えば、（ＤＨＣＰｖ６ＰＤベースのＮＥＭＯ（ネットワーク・モビリティ）の代わりに）本来ＮＥＭＯ性の機能を提供している、ステートレスに委任されたプリフィクスも提供されうる。
【００６０】
１つの態様において、通知されたプリフィクスの寿命は、プリフィクス計算に用いられた情報のソースに依存する。ＩＰｖ６プリフィクス又はＩＰｖ４アドレスの場合、通知されたプリフィクスの寿命は、ソースの寿命と等しいか又はそれより短い。ＩＩＤ又は層２識別子の場合、通知されたプリフィクスの寿命は、ＩＩＤ又は層２識別子に結び付けられうる、すなわち、リンクが切れない限り有効であることができる。長時間の接続の場合にネットワークの再番号付けを可能にするために、ホストは、毎日、あるいは（例えば、受信されたインターネット制御メッセージ・プロトコルｖ６（ＩＣＭＰｖ６）エラー・メッセージに基づいて決定された）明らかなルート指定の失敗があった場合に、サービス・プロバイダ・プリフィクスの有効性を再チェックすることができる。
【００６１】
図９は、無線通信の方法のフローチャートの第３の例９００を示す。１つの態様において、次世代パケット・コア（ＥＰＣ）ネットワークにおいて、全てのＵＥは、／６４プリフィクスを割り当てられることができ、ジェネラル・パケット・ラジオ・サービス（ＧＰＲＳ）についても同様である。更に、ＵＥがルータとして動作し、背後のネットワークをサポートする場合、そのＵＥは、自身に委任される短いプリフィクスを要求することができる。これをサポートするために、ＥＰＣネットワークは、ＵＥがプリフィクスの委任を要求する前でも、ＵＥのための短いプリフィクス（例えば、／５６）を用意することができる。綿密に計画されたプリフィクス委任モデルは、ルーチング及びポリシ制御インフラストラクチャに与える影響を最小限にするために役立つことができる。短いプリフィクスの長さ又は委任のために用いられる技術に関わらず、短いプリフィクスの使用は、ＵＥに委任されることが意図された短いプリフィクスの一部として用いられる、ＵＥに割り当てられた最初の／６４プリフィクスよりも好適であることができる。ＩＰｖ６フレーム・プリフィクスの例が、図１４を参照して提供される。
【００６２】
１つの態様において、第１のプリフィクスをＵＥに割り当てる（９０２）。１つの態様において、ＵＥがルータであることを示すインジケーションを受信する（９０４）。更に、第１のプリフィクスの一部を含む、ＵＥのための第２のプリフィクスを計算する（９０６）。一例において、割り当てるステップ及び計算するステップは、ゲートウェイ（例えば、パケット・データ・ノード・ゲートウェイ２０８）によって実行される。
【００６３】
図１０は、本開示に従う装置の例の機能を示す概念ブロック図１０００を示す。第１の態様において、装置の例は、クライアントがルータとして機能することを示すクライアントからの信号を受信するモジュール１００１と、サーバに、クライアントとサーバとの間のリンクにプリフィクスを割り当てないこと及び上記プリフィクスをクライアントに通知しないことを促すモジュール１００２とを含むことができる処理システム１００（図１を参照）である。１つの態様において、クライアントに短いプリフィクスを委任することもあり、短いプリフィクスはプリフィクスよりも短い長さを有する。一例において、モジュール１００１はアンテナを含み、モジュール１００２はプロセッサを含む。一例において、クライアントはポイント・ツー・ポイント（ＰｔＰ）クライアントであり、サーバはポイント・ツー・ポイント（ＰｔＰ）サーバである。
【００６４】
第２の態様において、装置の例は、第１のプリフィクスをＵＥに割り当てるモジュール１００３、ＵＥがルータであることを示すインジケーションを受信するモジュール１００４、及びＵＥのための第２のプリフィクスを予約するモジュール１００５を含むことができ、第２のプリフィクスは第１のプリフィクスよりも短い。一例において、ゲートウェイが、モジュール１００３、１００４、及び１００５を含む。
【００６５】
第３の態様において、装置の例は、第１のＵＥに第１のプリフィクスを割り当てるモジュール１００６、ＵＥがルータであることを示すインジケーションを受信するモジュール１００７、及び第２のＵＥのための第２のプリフィクスを計算するモジュール１００８を含むことができ、第２のプリフィクスは、第１のプリフィクスの一部を含む。一例において、ゲートウェイが、モジュール１００６、１００７、及び１００８を含む。
【００６６】
１つの構成において、装置の例は、ポイント・ツー・ポイント（ＰｔＰ）クライアントがルータとして機能することを示す、ＰｔＰクライアントからの信号を受信するための手段を含む。更に、装置の例は、ＰｔＰサーバに、ＰｔＰサーバとＰｔＰクライアントとの間のリンクにプリフィクスを割り当てないこと及びＰｔＰクライアントに上記プリフィクスを通知しないことを促すための手段を含む。上記手段は、上記手段によって記載された機能を実行するように構成された処理システム１１４（図１を参照）である。上述したように、処理システム１００は、ＴＸプロセッサ６１６及びＲＸプロセッサ６７０を含むネットワーク要素６１０（図６を参照）の一部である。そのように、１つの構成において、上記手段は、上記手段によって記載された機能を実行するように構成されたＴＸプロセッサ６１６及びＲＸプロセッサ６７０であることができる。
【００６７】
本明細書に開示された処理におけるステップの特定の順序又は序列は、アプローチの一例を示すものであることが理解される。設計選好に基づいて、処理におけるステップの特定の順序又は序列は並べ替えられうることが理解される。添付の方法クレームは、様々なステップの要素を例示的順序で示しており、示された特定の順序又は序列に限定されることは意味されない。
【００６８】
図１１は、１つの態様に従うプリフィクス割当てシステムのブロック図の例を示す。図１１を参照すると、例えば図２に示すＰＤＮゲートウェイ２０８のようなパケット・データ・ノード（ＰＤＮ）ゲートウェイ・システム１１００の詳細なブロック図が示される。ＰＤＮゲートウェイ・システム１１００は、任意のタイプのハードウェア、サーバ、パーソナル・コンピュータ、ミニコンピュータ、メインフレーム・コンピュータ、又は、専用コンピュータ・デバイスあるいは汎用コンピュータ・デバイスのいずれかである任意のコンピュータ・デバイスのうちの少なくとも１つを含むことができる。更に、ＰＤＮゲートウェイ・システム１１００で動作している又はそれによって実行中であるように本明細書で説明されたモジュール及びアプリケーションは、図１１に示すように、単一のネットワーク・デバイスで全体が実行されうるか、あるいは他の態様では、個々のサーバ、データベース、又はコンピュータ・デバイスが、使用可能なフォーマットでパーティにデータを提供するため、及び／又はＵＥ２１４と、ノードＢ（例えば、ｅノードＢ）２１２と、ＰＤＮゲートウェイ・システム１００によって実行されるモジュール及びアプリケーションとの間のデータ・フローにおける制御の別々の層を提供するために協働することができる。
【００６９】
ＰＤＮゲートウェイ・システム１１００は、有線及び無線のネットワークにわたってデータを送受信することができ、ルーチン及びアプリケーションを実行することができるコンピュータ・プラットフォーム１１０２を含む。コンピュータ・プラットフォーム１１０２は、例えば読取専用メモリ及び／又はランダム・アクセス・メモリ（ＲＯＭ及びＲＡＭ）、ＥＰＲＯＭ、ＥＥＰＲＯＭ、フラッシュ・カード、又はコンピュータ・プラットフォームに共通する任意のメモリのような揮発性メモリ及び不揮発性メモリを含むことができる。更に、メモリ１１０４は、１つ又は複数のフラッシュ・メモリ・セルを含むことができる、又は、例えば磁気媒体、光学媒体、テープ、あるいはソフト・ディスク又はハード・ディスクのような任意の二次又は三次の記憶デバイスであることができる。また、コンピュータ・プラットフォーム１１０２は、特定用途向け集積回路（ＡＳＩＣ）あるいは他のチップセット、論理回路あるいは他のデータ処理デバイスであることができるプロセッサ１１３０を含むこともできる。プロセッサ１１３０は、プリフィクス割当てモジュール１１１０の機能及び有線又は無線ネットワーク上のネットワーク・デバイス動作可能性をイネーブルする、ハードウェア、ファームウェア、ソフトウェア、及びそれらの組み合わせによって具現化される様々な処理サブシステム１１３２を含むことができる。
【００７０】
図示したように、コンピュータ・プラットフォーム１１０２は更に、ＰＤＮゲートウェイ・システム１１００の様々な構成要素間の通信及びＰＤＮゲートウェイ・システム１１００とノードＢ２１２（例えば、ｅノードＢ）との間の通信をイネーブルする、ハードウェア、ファームウェア、ソフトウェア、及びそれらの組み合わせによって具現化される通信モジュール１１５０を含む。通信モジュール１１５０は、無線通信接続を確立するために必要なハードウェア、ファームウェア、ソフトウェア、及び／又はそれらの組み合わせを含むことができる。説明された態様によると、通信モジュール１１５０は、要求されたセル、ノードＢ、ｅノードＢ、ＵＥ等の無線のブロードキャスト通信、マルチキャスト通信、及び／又はユニキャスト通信を容易にするためのハードウェア、ファームウェア、及び／又はソフトウェアを含むことができる。
【００７１】
コンピュータ・プラットフォーム１１０２は更に、とりわけＵＥ２１４から通信されたデータに対応してノードＢ２１２（例えば、ｅノードＢ）から受信されたメトリックをイネーブルする、ハードウェア、ファームウェア、ソフトウェア、及びそれらの組み合わせにおいて具現化されるメトリック・モジュール１１４０を含む。１つの態様において、ＰＤＮゲートウェイ・システム１１００は、ネットワーク・ヘルス、容量、使用量、ルーチング要求等をモニタするメトリック・モジュール１１４０を通して受信されたデータを分析することができる。例えば、メトリック・モジュール１１４０が、ＵＥ２１４のうちの１つがルータとして動作しようとしていることを示した場合、ＰＤＮゲートウェイ・システム１１００は、ＵＥ２１４に適切なリソースを割り当てることができる。
【００７２】
ＰＤＮゲートウェイ・システム１１００のメモリ１１０４は、要求しているＵＥがルータとして動作しようとしているかホストとして動作しようとしているかに少なくとも部分的に基づいてプリフィクス割当てを決定するために動作可能なプリフィクス割当てモジュール１１１０を含む。
【００７３】
図１２は、１つの態様に従ってプリフィクスの割当て及び通知又は委任を容易にするように構成された無線通信デバイスのブロック図の例１２００を示す。図１２を参照すると、ポイント・ツー・ポイント・リンクにおけるルータ又はホストとして動作することができるユーザ機器（ＵＥ）１２００（例えば、クライアント・デバイス、無線通信デバイス（ＷＣＤ）等）が示される。ＵＥ１２００は、例えば１つ又は複数の受信アンテナ（図示せず）からの１つ又は複数の信号を受信し、受信信号に典型的な動作を実行（例えば、フィルタ、増幅、ダウンコンバート等）し、調整された信号をデジタル化し、サンプルを取得する受信機１２０２を含む。受信機１２０２は更に、受信信号の復調のために搬送波周波数を提供することができる発振器と、受信シンボルを復調し、それらをチャネル推定のためにプロセッサ１２０６へ提供することができる復調器とを含むことができる。１つの態様において、ＵＥ１２００は更に、二次的な受信機１２５２を含み、情報の追加のチャネルを受信することができる。
【００７４】
プロセッサ１２０６は、受信機１２０２によって受信された情報を分析するため、及び／又は１つ又は複数の送信機１２２０（簡略化のために、１つの送信機しか図示されない）による送信のための情報を生成するための専用のプロセッサであることができる。プロセッサ１２０６は、ＵＥ１２００の１つ又は複数の構成要素を制御するプロセッサ、及び／又は、受信機１２０２及び／又は二次受信機１２５２によって受信された情報を分析し、１つ又は複数の送信アンテナ（図示せず）における送信のために情報を生成し、かつＵＥ１２００の１つ又は複数の構成要素を制御するプロセッサであることができる。
【００７５】
ＵＥ１２００は更に、送信されるデータ、受信されたデータ、利用可能なチャネルに関する情報、分析された信号に関連付けられたデータ、及び／又は割当てられたチャネル、電力、レート等に関する干渉強度情報、及び／又は、チャネルを推定するため及び／又はチャネルを介して通信するための他の任意の適切な情報を格納することができ、プロセッサ１２０６に動作可能に結合されたメモリ１２０８を含むことができる。メモリ１２０８は更に、（例えば、性能ベース、容量ベース等の）チャネルの推定及び／又は使用に関連付けられたアルゴリズム及び／又はプロトコルを格納することができる。
【００７６】
本明細書で説明されたメモリ１２０８は、揮発性メモリ又は不揮発性メモリのいずれかであることができる、又は揮発性メモリ及び不揮発性メモリ両方を含むことができることが理解されるであろう。限定ではなく一例として、不揮発性メモリは、読取専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、及び／又はフラッシュ・メモリを含むことができる。揮発性メモリは、ランダム・アクセス・メモリ（ＲＡＭ）を含むことができ、外付けキャッシュ・メモリとして動作する。限定ではなく一例として、ＲＡＭは、例えば同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）、及びダイレクトＲａｍｂｕｓ  ＲＡＭ（Ｄ ＲＲＡＭ(登録商標)）を含むことができる。メモリ１２０８は、本明細書で説明される場合、限定されることなく、これらのメモリ及び他の任意の適切なタイプのメモを含むことが意図される。
【００７７】
一例において、ＵＥ１２００は、例えば図７、８、及び９を参照して説明されたようなポイント・ツー・ポイント・リンクにおけるルータ又はホストとしてＵＥ１２００が動作するようにイネーブルするように動作可能であることができるＰＤＮ接続モジュール１２１０を含む。１つのそのような態様において、ＰＤＮ接続モジュール１２１０は、ＵＥ１２００がルータとして動作している場合、ＵＥ１２００を通してポイント・ツー・ポイント・リンクへのアクセスを探索しているＵＥにプリフィクスを割り当てるように動作可能であるプリフィクス委任１２１２を含むことができる。
【００７８】
更に、ＵＥ１２００は、ユーザ・インタフェース１２４０を含むことができる。ユーザ・インタフェース１２４０は、ＵＥ１２００への入力を生成するための入力メカニズム１２４２及びＵＥ１２００のユーザによる消費に関する情報を生成するための出力メカニズム１２４４を含むことができる。例えば入力メカニズム１２４２は、例えばキー又はキーボード、マウス、タッチスクリーン・ディスプレイ、マイクロホン等のようなメカニズムを含むことができる。また、例えば出力メカニズム１２４４は、ディスプレイ、オーディオ・スピーカ、触覚フィードバック・メカニズム、パーソナル・エリア・ネットワーク（ＰＡＮ）トランシーバ等を含むことができる。一例において、出力メカニズム１２４４は、画像又はビデオ・フォーマットにおけるコンテンツを表示するように動作可能なディスプレイ、又はオーディオ・フォーマットにおけるコンテンツを示すためのオーディオ・スピーカを含むことができる。
【００７９】
１つの態様において、多数のＩＰｖ６アドレスが存在し、多数のカスタマが、かなりの長さの委任されたプリフィクスを与えられうる。ステートレスな委任を用いると、多数の（管理されていない）カスタマ機器とオペレータのＤＨＣＰｖ６サーバとの間のプリフィクス委任目的のための明確なシグナリングが回避されうる。オペレータは、（セルラ・ネットワークの場合）専用のアクセス・ポイント・ネーム（ＡＰＮ）を用いること、（例えば、デバイス識別子によって決定された）要求におけるサービス・プロバイダ・プリフィクスを提供しないこと、及びファイアウォールとの通信を実行することによって、プリフィクス委任の制御を保つ。
【００８０】
図１４は、１つの態様に従ってフレームされたプリフィクス１４００のブロック図の例を示す。一般に、ポリシ及び課金制御アーキテクチャ（ＰＣＣ）は、ポリシ制御実施機能（ＰＣＥＦ）及びベアラ結合及びイベント報告機能（ＢＲＥＲＦ）に関してサービス・データ・フロー検出、ゲーティング及びＱｏＳに関するネットワーク制御を提供することができる。ＰＣＣはまた、ＰＣＥＦに関して課金に基づいたフローのネットワーク制御を提供することもできる。ＰＣＣの目的は、ポリシ、ＱｏＳ制御、及び課金を提供するためにシグナリング・プレーンとデータ・プレーンとを相互接続することである。この相互接続を達成するために、ＰＣＣはセッション結合を実行することができる。セッション結合は、アプリケーション機能（ＡＦ）セッション（ＲＦシグナリング・インタフェース）とＩＰ−ＣＡＮ（インターネット・プロトコル接続アクセス・ネットワーク）パラメータとの間のマッチを用いることができる。ＩＰｖ６セッションの場合、ＵＥ  ＩＰｖ６プリフィクスを含むＩＰ−ＣＡＮパラメータは、ＤＩＡＭＥＴＥＲフレームＩＰｖ６プリフィクスＡＶＰ（属性値ペア）がフレームＩＰｖ６を定義する。ＩＰ−ＣＡＮセッションは、１つのフレームＩＰｖ６プリフィクスＡＶＰしか含むことができない。
【００８１】
１つの態様において、フレームＩＰｖ６プリフィクスＡＶＰは、記述、タイプ１４０２、長さ１４０４、予約済１４０６、プリフィクス長１４０８、及びプリフィクス１４１０フィールドを含むことができる。１つの態様において、記述は、ＩＰｖ６プリフィクス（及び対応するルート）がユーザのために構成されていることを示すことができる。記述は、アクセス許可パケットにおいて用いられることができ、複数の時間に出現することができる。記述は、非アクセス層（ＮＡＳ）による、それらのプリフィクスを選好するであろうサーバへのヒントとしてアクセス要求パケットにおいて用いられうるが、サーバは、そのヒントを受け取る必要はない。ＮＡＳはプリフィクスに対応するルートを調べることができると想定されうるので、同一のプリフィクスについてフレーム化ＩＰｖ６ルート特性を送信することもサーバにとって必要ではない。タイプ１４０２フィールドは、フレーム化ＴＰｖ６プリフィクスについて「９７」を示すことができる。長さ１４０４フィールドは、４ビット以上２０ビット以下の長さであることができる。１つの態様において、（予約されており、存在していなければならない）予約済１４０６フィールドは常にゼロに設定される。プリフィクス長１４０８フィールドは、（例えば、０以上１２８以下の）ビットでプリフィクスの長さを示すことができる。プリフィクス１４１０フィールドは、含まれる場合、プリフィクス長１４０８の外側のビットがゼロとなりうる場合、１６オクテットまでの長さを含むことができる。
【００８２】
１つの態様において、（初期ＵＥ  ＰＤＮ接続が確立された後含まれた）元のプリフィクス長１４０８値は、プリフィクス割当てメカニズムを用いてＵＥによって取得された場合、より短いプリフィクスに変更されうる。元のＩＰｖ６プリフィクスがより短い委任されたＩＰｖ６プリフィクスの一部である場合、フレームＩＰｖ６プリフィクスＡＶＰ１２０８フィールドにおけるプリフィクス長１２０８フィールドの更新によって、委任されたプリフィクスに含まれたアドレス全てについて十分なセッション結合を可能にすることができる。
【００８３】
１つの例において、ＵＥは、既存の３ＧＰＰ定義の手順を用いてＩＰｖ６プリフィクスを要求することができる。既存のメカニズムの例外として、場合によっては加入者のためのアクセス・ポイント・ネーム（ＡＰＮ）毎に構成された、要求しているＵＥのための／５６のＩＰｖ６プリフィクスの予約がある。しかし、このステップは、既存のＰＤＮ接続セットアップ・シグナリングを変更することはない。ＳＬＬＡＣ（ステートレス・アドレス自動設定）は、既存の３ＧＰＰ定義手順を用いて予約されたプリフィクスのうちの「最後の／最高の」又は「最初の／最低の」／６４ＩＰｖ６プリフィクスを返還する。プリフィクスは、ＤＨＣＰｖ６  ＰＤを用いることによって、２００１：ｄｂ８：４０００：ＦＦＦＦ：：／６４から２００１：ｄｂ８：４０００：ＦＦ００：／５６に拡張されうる。従ってＰＤＮゲートウェイは、ＩＰ−ＣＡＮセッション変更を実行することができる。ＵＥアップリンク・サブネットは、最初の受信されたプリフィクス２００１：ｄｂ８：４０００：ＦＦＦＦ：：／６４として保持される。更に、利用可能な／６４インタフェース・サブネットは、ＵＥダウンリンク・インタフェース２００１：ｄｂ８：４０００：ＦＦ００：：／６４のための第１の利用可能なサブネット及びＵＥダウンリンク・インタフェース２００１：ｄｂ８：４０００：ＦＦＦＥ：：／６４のための最後の利用可能なサブネットを有する２００１：ｄｂ８：４０００：ＦＦ００−ＦＦＦＥ：：／６４である。このように、ＩＰ−ＣＡＮセッション・フレーム化ＩＰｖ６プリフィクスＡＶＰ長フィールド１２０８は、既存の３ＧＰＰ定義の手順を用いて受信されたＵＥ初期／６４を含むより短いプリフィクスに含まれる全ての／６４に整合しうるより短いプリフィクスを表すように（６４から５６へ）修正される。１つの態様において、そのような例は、ａ）単一の接続（ＰＤＰコンテクスト／ＰＤＮ接続）のための唯一のＩＰｖ６プリフィクス及び唯一のＩＰｖ４アドレスにおける現在の制限を保持する場合、ｂ）単一の接続（ＰＤＰコンテクスト／ＰＤＮ接続）についてより短いプリフィクス長を与える場合、及びｃ）接続におけるプリフィクス長を調整する可能性を追加する場合、ＰＣＣに与える影響を最小限にすることができる。
【００８４】
１つの態様において、ＤＨＣＰｖ６文書に関するＩＰｖ６プリフィクス・オプションは、委任しているルータから要求しているルータへプリフィクスを委任するためにＤＨＣＰｖ６を用いるためのメカニズムを指定する。このメカニズムは、ＥＰＣネットワークにおいて用いるために非常に適切であるが、その使用を制限する制約を有する。制約の１つの例は、要求しているルータは、委任しているルータからのＤＨＣＰメッセージが受信されるリンクに、任意の委任されたプリフィクス又は委任された（複数の）プリフィクスからのサブネットを割り当ててはならないことである。この制約により、ＵＥは、委任を受信したインタフェースにおける委任されたプリフィクスの中から／６４を用いることができない。この制約により、（一方は／６４であり他方はそれより短い）２つの異なるプリフィクスが各ＵＥのために割り当てられる必要があり、それによってルーチング及びポリシ・インフラストラクチャに著しい影響が及ぼされうる。
【００８５】
１つの例において、開示されたＤＨＣＰｖ６プリフィクス委任技術は、３ＧＰＰ  ＥＰＣネットワークにおいて用いられうる。１つの態様において、ＵＥが「ブリッジ様式の」モデムとしてしか動作していない場合（例えば、ホストＩＰスタックが実行中のノートブックの場合）、実際のプリフィクス委任要求は、ノートブックＩＰスタックから生じることができる。
【００８６】
当業者は、図７、８、及び９におけるフロー図の例に開示されたステップは、本開示の範囲及び主旨から逸脱することなく、順序を入れ替えることができることを理解するであろう。また、当業者は、フロー図に示されたステップが排他的ではなく、他のステップが含まれうること、又はフロー図の例に示すステップのうちの１つ又は複数が本開示の範囲及び主旨に影響することなく省略されうることも理解するであろう。
【００８７】
当業者は更に、本明細書で開示された例に関連して説明された例示となる様々な構成要素、論理ブロック、モジュール、回路、及び／又はアルゴリズムのステップが、電子工学ハードウェア、ファームウェア、コンピュータ・ソフトウェア、又はそれらの組み合わせとして実現されうることを理解するであろう。このハードウェア、ファームウェア、及びソフトウェアの相互置換性を明確に示すために、例示となる様々な構成要素、ブロック、モジュール、回路、及び／又はアルゴリズムのステップが、それらの機能の観点から一般的に上述された。そのような機能がハードウェア、ファームウェア、又はソフトウェアのいずれとして実現されるかは、特定のアプリケーション及びシステム全体に課された設計制約に依存する。当業者は、各特定のアプリケーションのために様々な方法で上述された機能を実現することができるが、そのような実現の決定は、本開示の範囲又は主旨から逸脱させるものとして解釈されてはならない。
【００８８】
例えば、ハードウェア実現の場合、処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、本明細書で説明された機能を実行するように設計された他の電子工学ユニット、又はそれらの組み合わせにおいて実現されうる。ソフトウェアの場合、本明細書で説明された機能を実行するモジュール（例えば、手順、関数等）を通して実現されうる。ソフトウェア・コードは、メモリ・ユニットに格納され、プロセッサ・ユニットによって実行される。更に、本明細書で説明された例示となる様々なフロー図、論理ブロック、モジュール、及び／又はアルゴリズムのステップは、当該技術において周知である任意のコンピュータ読取可能媒体において搬送されるコンピュータ読取可能命令として符号化される、又は、当該技術において周知である任意のコンピュータ・プログラム製品において実現されることもできる。１つの態様において、コンピュータ読取可能媒体は、持続性コンピュータ読取可能媒体を含む。
【００８９】
１つ又は複数の例において、本明細書で説明されたステップ又は機能は、ハードウェア、ソフトウェア、ファームウェア、又はそれらの任意の組み合わせによって実現されうる。ソフトウェアによる実現の場合、機能は、コンピュータ読取可能媒体上の１つ又は複数の命令又はコードとして格納又は送信されうる。コンピュータ読取可能媒体は、コンピュータ記憶媒体と、１つの場所から別の場所へのコンピュータ・プログラムの転送を容易にする任意の媒体を含む通信媒体との両方を含む。記憶媒体は、コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭ又は他の光学ディスク記憶媒体、磁気ディスク記憶媒体又は他の磁気記憶デバイス、又は、命令又はデータ構成の形式で所望のプログラム・コードを搬送又は格納するために用いることができコンピュータによってアクセスすることができる他の任意の媒体を含むことができる。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は赤外線、ラジオ、及びマイクロ波のような無線技術を用いて送信された場合、同軸ケーブル、光ファイバ・ケーブル、ツイスト・ペア、ＤＳＬ、又は赤外線、ラジオ、及びマイクロ波のような無線技術は媒体の範囲に含まれる。ディスク（disk）及びディスク（disc）は、本明細書で用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が通常データを磁気的に再生するのに対し、ディスク（disc）はレーザを用いてデータを光学的に再生する。上記の組み合わせもまた、コンピュータ読取可能媒体の範囲に含まれるべきである。
【００９０】
図１５は、プリフィクスの割当て及び通知又は委任を容易にするために適切な第１のデバイス１５００の例を示す。１つの態様において、デバイス１５００は、ブロック１５１０及び１５２０において本明細書で説明されたようなプリフィクスの割当て及び通知又は委任を容易にする様々な態様を提供するように構成された１つ又は複数のモジュールを備える少なくとも１つのプロセッサによって実現される。例えば、各モジュールは、ハードウェア、ファームウェア、ソフトウェア、又はそれらの任意の組み合わせを含む。１つの態様において、デバイス１５００はまた、少なくとも１つのプロセッサと通信中の少なくとも１つのメモリによって実現される。
【００９１】
図１６は、プリフィクスの割当て及び通知又は委任を容易にするために適切な第２のデバイス１６００の例を示す。１つの態様において、デバイス１６００は、ブロック１６１０、１６２０、及び１６３０において本明細書で説明されたようなプリフィクスの割当て及び通知又は委任を容易にする様々な態様を提供するように構成された１つ又は複数のモジュールを備える少なくとも１つのプロセッサによって実現される。例えば、各モジュールは、ハードウェア、ファームウェア、ソフトウェア、又はそれらの任意の組み合わせを含む。１つの態様において、デバイス１６００はまた、少なくとも１つのプロセッサと通信中の少なくとも１つのメモリによって実現される。
【００９２】
図１７は、プリフィクスの割当て及び通知又は委任を容易にするために適切な第３のデバイス１７００の例を示す。１つの態様において、デバイス１７００は、ブロック１７１０、１７２０、及び１７３０において本明細書で説明されたようなプリフィクスの割当て及び通知又は委任を容易にする様々な態様を提供するように構成された１つ又は複数のモジュールを備える少なくとも１つのプロセッサによって実現される。例えば、各モジュールは、ハードウェア、ファームウェア、ソフトウェア、又はそれらの任意の組み合わせを含む。１つの態様において、デバイス１７００はまた、少なくとも１つのプロセッサと通信中の少なくとも１つのメモリによって実現される。
【００９３】
１つの例において、本明細書で説明された例示となる構成要素、フロー図、論理ブロック、モジュール、及び／又はアルゴリズムのステップは、１つ又は複数のプロセッサを用いて実現又は実行される。１つの態様において、プロセッサは、本明細書で説明された様々なフロー図、論理ブロック、及び／又はモジュールを実現又は実行するためにプロセッサによって実行されるデータ、メタデータ、プログラム命令等を格納するメモリと結合される。図１８は、プリフィクスの割当て及び通知又は委任を容易にするための処理を実行するための、メモリ１８２０と通信中のプロセッサ１８１０を備えるデバイス１８００の例を示す。１つの例において、デバイス１８００は、図７、８、及び９に示すアルゴリズムを実現するために用いられる。１つの態様において、メモリ１８２０は、プロセッサ１８１０内に存在する。別の態様において、メモリ１８２０は、プロセッサ１８１０に外付けである。１つの態様において、プロセッサは、本明細書で説明された様々なフロー図、論理ブロック、及び／又はモジュールを実現又は実行するための回路を含む。
【００９４】
開示された態様の上記説明は、当業者をして、本開示の製造又は利用を可能とするために提供される。これらの態様に対する様々な変形例が当業者には容易に明らかとなり、本明細書で定義された一般原理は、本開示の主旨又は範囲から逸脱することなく他の態様に適用することができる。
以下に、本願の出願当初請求項に記載された発明を付記する。
［Ｃ１］
無線通信システムにおけるプリフィクスの割当て及び通知又は委任を容易にするための方法であって、
クライアントがルータとして機能することを示す、前記クライアントからの信号を受信することと、
サーバに、前記サーバと前記クライアントとの間のリンクにプリフィクスを割り当てないこと及び前記クライアントに前記プリフィクスを通知しないことを促すことと
を備える方法。
［Ｃ２］
前記クライアントに短いプリフィクスを委任することを更に備える、上記Ｃ１に記載の方法。
［Ｃ３］
前記短いプリフィクスは、前記プリフィクスよりも短い長さを有する、上記Ｃ２に記載の方法。
［Ｃ４］
前記信号は、
ルータ要請、
プリフィクス委任要求、
又はルータ機能インジケーション
のうちの少なくとも１つを含む、上記Ｃ１に記載の方法。
［Ｃ５］
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、上記Ｃ１に記載の方法。
［Ｃ６］
前記クライアントは、３ＧＰＰユーザ機器（ＵＥ）である、上記Ｃ５に記載の方法。
［Ｃ７］
前記信号は、
ユーザ機器（ＵＥ）初期接続手順、
又はＵＥ要求ＰＤＮ接続手順
のうちの少なくとも１つの間に受信される、上記Ｃ６に記載の方法。
［Ｃ８］
前記無線通信システムは、ＩＥＥＥ８０２．１６／ＷｉＭａｘネットワーク又は３ＧＰＰ２ネットワークに関連付けられている、上記Ｃ１に記載の方法。
［Ｃ９］
前記信号は、３ＧＰＰ非アクセス層（ＮＡＳ）プロトコルに基づくルータ機能に関する新たなプロトコル設定オプション（ＰＣＯ）又は情報要素（ＩＥ）を含むことができる、上記Ｃ１に記載の方法。
［Ｃ１０］
前記促すことは、インターネット・エンジニアリング・タスク・フォース（ＩＥＴＦ）ＩＰｖ６プロトコルに基づいている、上記Ｃ１に記載の方法。
［Ｃ１１］
無線通信システムにおけるプリフィクスの割当て及び通知又は委任を容易にするための方法であって、
第１のプリフィクスをユーザ機器（ＵＥ）に割り当てることと、
前記ＵＥがルータであることを示すインジケーションを受信することと、
前記第１のプリフィクスよりも短い、前記ＵＥのための第２のプリフィクスを予約することと
を備える方法。
［Ｃ１２］
前記割り当てることは、サーバによって実行される、上記Ｃ１１に記載の方法。
［Ｃ１３］
前記サーバは、パケット・データ・サービス提供ノード（ＰＤＳＮ）、ゲートウェイＧＰＲＳサポート・ノード（ＧＧＳＮ）、又はＰＤＮゲートウェイのうちの１つである、上記Ｃ１２に記載の方法。
［Ｃ１４］
無線通信システムにおけるプリフィクスの割当て及び通知又は委任を容易にするための方法であって、
第１のプリフィクスをユーザ機器（ＵＥ）に割り当てることと、
前記ＵＥがルータであることを示すインジケーションを受信することと、
前記第１のプリフィクスの一部を含む、前記ＵＥのための第２のプリフィクスを計算することと
を備える方法。
［Ｃ１５］
前記割り当てることは、
ユーザ機器（ＵＥ）初期接続手順、
又はＵＥ要求ＰＤＮ接続手順
のうちの１つに基づいている、上記Ｃ１４に記載の方法。
［Ｃ１６］
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、上記Ｃ１４に記載の方法。
［Ｃ１７］
前記無線通信システムは、ＩＥＥＥ８０２．１６／ＷｉＭａｘネットワーク又は３ＧＰＰ２ネットワークに関連付けられている、上記Ｃ１４に記載の方法。
［Ｃ１８］
無線通信システムにおけるプリフィクスの割当て及び通知又は委任を容易にするための装置であって、
クライアントがルータとして機能することを示す、前記クライアントからの信号を受信するための手段と、
サーバに、前記サーバと前記クライアントとの間のリンクにプリフィクスを割り当てないこと及び前記プリフィクスを前記クライアントに通知しないことを促すための手段と
を備える装置。
［Ｃ１９］
前記クライアントに短いプリフィクスを委任するための手段を更に備える、上記Ｃ１８に記載の装置。
［Ｃ２０］
前記短いプリフィクスは、前記プリフィクスよりも短い長さを有する、上記Ｃ１９に記載の装置。
［Ｃ２１］
前記信号は、
ルータ要請、
プリフィクス委任要求、
又はルータ機能インジケーション
のうちの少なくとも１つを含む、上記Ｃ１８に記載の装置。
［Ｃ２２］
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、上記Ｃ１８に記載の装置。
［Ｃ２３］
前記クライアントは、３ＧＰＰユーザ機器（ＵＥ）である、上記Ｃ１８に記載の装置。
［Ｃ２４］
前記信号は、
ユーザ機器（ＵＥ）初期接続手順、
又はＵＥ要求ＰＤＮ接続手順
のうちの少なくとも１つの間に受信される、上記Ｃ２３に記載の装置。
［Ｃ２５］
前記無線通信システムは、ＩＥＥＥ８０２．１６／ＷｉＭａｘネットワーク又は３ＧＰＰ２ネットワークに関連付けられている、上記Ｃ１８に記載の装置。
［Ｃ２６］
前記信号は、３ＧＰＰ非アクセス層（ＮＡＳ）プロトコルに基づくルータ機能に関する新たなプロトコル設定オプション（ＰＣＯ）又は情報要素（ＩＥ）を含むことができる、
上記Ｃ１８に記載の装置。
［Ｃ２７］
前記促すための手段は、インターネット・エンジニアリング・タスク・フォース（ＩＥＴＦ）ＩＰｖ６プロトコルに基づいている、上記Ｃ１８に記載の装置。
［Ｃ２８］
無線通信システムにおけるプリフィクスの割当て及び通知又は委任を容易にするための装置であって、
第１のプリフィクスをユーザ機器（ＵＥ）に割り当てるための手段と、
前記ＵＥがルータであることを示すインジケーションを受信するための手段と、
前記第１のプリフィクスよりも短い、前記ＵＥのための第２のプリフィクスを予約するための手段と
を備える装置。
［Ｃ２９］
無線通信システムにおけるプリフィクスの割当て及び通知又は委任を容易にするための装置であって、
ユーザ機器（ＵＥ）に第１のプリフィクスを割り当てるための手段と、
前記ＵＥがルータであることを示すインジケーションを受信するための手段と、
前記第１のプリフィクスの一部を含む、前記ＵＥのための第２のプリフィクスを計算するための手段と
を備える装置。
［Ｃ３０］
前記割り当てることは、
ユーザ機器（ＵＥ）初期接続手順、
又はＵＥ要求ＰＤＮ接続手順
のうちの１つに基づいている、上記Ｃ２９に記載の装置。
［Ｃ３１］
前記無線通信システムは、ＩＥＥＥ８０２．１６／ＷｉＭａｘネットワーク、３ＧＰＰ２ネットワーク、又は３ＧＰＰネットワークに関連付けられている、上記Ｃ２９に記載の装置。
［Ｃ３２］
無線通信システムにおけるプリフィクスの割当て及び通知又は委任を容易にするための装置であって、
クライアントがルータとして機能することを示す、前記クライアントからの信号を受信するためのアンテナと、
サーバに、前記サーバと前記クライアントとの間のリンクにプリフィクスを割り当てないこと及び前記プリフィクスを前記クライアントに通知しないことを促すためのプロセッサと
を備える装置。
［Ｃ３３］
前記プロセッサは更に、前記クライアントに短いプリフィクスを委任するために構成される、上記Ｃ３２に記載の装置。
［Ｃ３４］
前記短いプリフィクスは、前記プリフィクスよりも短い長さを有する、上記Ｃ３３に記載の装置。
［Ｃ３５］
前記信号は、
ルータ要請、
プリフィクス委任要求、
又はルータ機能インジケーション
のうちの少なくとも１つを含む、上記Ｃ３２に記載の装置。
［Ｃ３６］
前記サーバは、パケット・データ・サービス提供ノード（ＰＤＳＮ）、ゲートウェイＧＰＲＳサポート・ノード（ＧＧＳＮ）、又はＰＤＮゲートウェイ（ＰＧＷ）のうちの１つである、上記Ｃ３２に記載の装置。
［Ｃ３７］
前記クライアントは、３ＧＰＰユーザ機器（ＵＥ）である、上記Ｃ３６に記載の装置。
［Ｃ３８］
前記信号は、
ユーザ機器（ＵＥ）初期接続手順、
ＵＥ要求ＰＤＮ接続手順
のうちの少なくとも１つの間に受信される、上記Ｃ３７に記載の装置。
［Ｃ３９］
前記無線通信システムは、ＩＥＥＥ８０２．１６／ＷｉＭａｘネットワーク又は３ＧＰＰ２ネットワークに関連付けられている、上記Ｃ３２に記載の装置。
［Ｃ４０］
前記信号は、３ＧＰＰ非アクセス層（ＮＡＳ）プロトコルに基づくルータ機能に関する新たなプロトコル設定オプション（ＰＣＯ）又は情報要素（ＩＥ）を含むことができる、上記Ｃ３２に記載の装置。
［Ｃ４１］
前記促すための手段は、インターネット・エンジニアリング・タスク・フォース（ＩＥＴＦ）ＩＰｖ６プロトコルに基づいている、上記Ｃ３２に記載の装置。
［Ｃ４２］
無線通信システムにおけるプリフィクスの割当て及び通知又は委任を容易にするための装置であって、
ユーザ機器（ＵＥ）に第１のプリフィクスを割り当て、前記ＵＥがルータであることを示すインジケーションを受信し、かつ、
前記第１のプリフィクスよりも短い、前記ＵＥのための第２のプリフィクスを予約すること、
又は、前記第１のプリフィクスの一部を含む、前記ＵＥのための前記第２のプリフィクスを計算すること
のうちの１つを実行するためのゲートウェイ
を備える装置。
［Ｃ４３］
前記無線通信システムは、ＩＥＥＥ８０２．１６／ＷｉＭａｘネットワーク、３ＧＰＰ２ネットワーク、又は３ＧＰＰネットワークに関連付けられている、上記Ｃ４２に記載の装置。
［Ｃ４４］
コンピュータに、クライアントがルータとして機能することを示す、前記クライアントからの信号を受信させるためのコードと、
前記コンピュータに、サーバに、前記サーバと前記クライアントとの間のリンクにプリフィクスを割り当てないこと及び前記プリフィクスを前記クライアントに通知しないことを促させるためのコードと
を備えるコンピュータ読取可能媒体を備えるコンピュータ・プログラム製品。
［Ｃ４５］
コンピュータに、第１のプリフィクスをユーザ機器（ＵＥ）に割り当てさせ、前記ＵＥがルータであることを示すインジケーションを受信させ、かつ、
前記第１のプリフィクスよりも短い、前記ＵＥのための第２のプリフィクスを予約すること、
又は、前記第１のプリフィクスの一部を含む、前記ＵＥのための前記第２のプリフィクスを計算すること
のうちの１つを実行させるためのコードを備えるコンピュータ読取可能媒体を備えるコンピュータ・プログラム製品。
【図１】
0006049609.tif 000002
【図２】
0006049609.tif 000003
【図３】
0006049609.tif 000004
【図４】
0006049609.tif 000005
【図５】
0006049609.tif 000006
【図６】
0006049609.tif 000007
【図７】
0006049609.tif 000008
【図８】
0006049609.tif 000009
【図９】
0006049609.tif 000010
【図１０】
0006049609.tif 000011
【図１１】
0006049609.tif 000012
【図１２】
0006049609.tif 000013
【図１３】
0006049609.tif 000014
【図１４】
0006049609.tif 000015
【図１５】
0006049609.tif 000016
【図１６】
0006049609.tif 000017
【図１７】
0006049609.tif 000018
【図１８】
0006049609.tif 000019